(57)【要約】      （修正有）【課題】切断対象物上に切り屑が堆積することを防止でき、清掃作業を簡素化することができる縦型帯鋸装置を提供する。【解決手段】帯鋸１２を、鉛直軸２９に対して角度θをなすように傾斜させる。角度θは３°〜７°、好ましくは５°である。また、テーブル１１にクランプ機構３０を装備する。使用に当たっては、切断対象物の下角部から切り込みを開始する。切り屑の大部分は落下する。切り屑の一部は反作用で上方へ跳ぶが、切断対象物から離れる方向へ斜め上へ跳ぶため、切り屑が切断対象物上に堆積する心配はない。【選択図】図４
0003169557.tif 000002
【実用新案登録請求の範囲】
【請求項１】
装置本体部に水平移動可能に支持され切断対象物を支えるテーブルと、前記装置本体部に周回可能に支持され上から下へ移動しながら前記切断対象物を切断する帯鋸とからなる縦型帯鋸装置において、
前記帯鋸は、切断対象物の下角部から切り込みを開始するように鉛直軸に対して傾斜配置され、前記テーブルに前記切断対象物を抑えるクランプ機構を備えていることを特徴とする縦型帯鋸装置。
【請求項２】
前記テーブルに作業者の力を前記テーブルに伝えるハンドルを備え、このハンドルに前記作業者が加える力を軽減するために前記テーブルと前記装置本体部に渡されるパワーアシストシリンダを備え、前記テーブルに前記パワーアシストシリンダを操作する操作子を備えていることを特徴とする請求項１記載の縦型帯鋸装置。
【請求項３】
前記クランプ機構は、前記テーブルに縦向きに貫通するロッドと、このロッドの上端から水平に延ばされ前記帯鋸を通過させる溝を有し前記切断対象物の上面を抑えるバー部材と、前記ロッドの近傍にて前記テーブルに取付けられ前記ロッドより前記帯鋸寄りの部位でピストンロッドが前記バー部材に連結され前記バー部材を昇降するシリンダユニットとからなることを特徴とする請求項２記載の縦型帯鋸装置。
【考案の詳細な説明】
【技術分野】
【０００１】
本考案は、周回する帯鋸で切断対象物を切断する縦型帯鋸装置に関する。
【背景技術】
【０００２】
円板形の回転鋸で素材を切断することがよく知られている。しかし、回転鋸は刃幅が比較的大きいために、切り屑が多く発生し、歩留まりの点で難がある。
歩留まりの点では、刃幅が小さな帯鋸が有利である。そこで、帯鋸を要部とする帯鋸装置が各種提案されている（例えば、特許文献１（図１）参照。）。
【０００３】
特許文献１を次図に基づいて説明する。
図９は従来の縦型帯鋸装置の斜視図であり、帯鋸１０１が上から下へ走行しており、テーブル１０２に載せた切断対象物１０３を帯鋸１０１で切断することができる。
ただし、切断対象物１０３の形態によっては、次に述べるような不具合が発生する。
【０００４】
図１０は従来の縦型帯鋸装置の要部拡大図であり、切断対象物１０３の厚さｔが１００ｍｍに達する厚いアルミニウム合金板の場合、帯鋸１０１の切り込み性が良くない。すなわち、１００ｍｍ長さの前面１０４で、帯鋸１０１が跳ね返され、切り込み性が良くない。
【０００５】
対策として、次に示す技術が考えられる。
図１１に示すように、帯鋸１０１を傾ける。すると、帯鋸１０１が切断対象物１０３の上角部１０５に円滑に切り込まれる。
【０００６】
切り屑の大部分は、帯鋸１０１の移動に伴って下方へ落下する。
しかし、切り屑の一部は、反作用で帯鋸１０１の移動方向と反対側（すなわち、上方へ）に飛散し、切断対象物１０３の上面に堆積する。そのため、作業者は堆積物を頻繁に清掃する必要がある。清掃を怠ると切り屑の一部が帯鋸１０１に引き込まれ、切断面に傷を付け、品質の低下を招く。
【先行技術文献】
【特許文献】
【０００７】
【特許文献１】実開平６−５０７２７号公報
【考案の概要】
【考案が解決しようとする課題】
【０００８】
本考案は、切り屑の堆積を防止することができ、清掃作業を簡素化することができる縦型帯鋸装置を提供することを課題とする。
【課題を解決するための手段】
【０００９】
請求項１に係る考案は、装置本体部に水平移動可能に支持され切断対象物を支えるテーブルと、前記装置本体部に周回可能に支持され上から下へ移動しながら前記切断対象物を切断する帯鋸とからなる縦型帯鋸装置において、
前記帯鋸は、切断対象物の下角部から切り込みを開始するように鉛直軸に対して傾斜配置され、前記テーブルに前記切断対象物を抑えるクランプ機構を備えていることを特徴とする。
【００１０】
請求項２に係る考案では、テーブルに作業者の力をテーブルに伝えるハンドルを備え、このハンドルに作業者が加える力を軽減するためにテーブルと装置本体部に渡されるパワーアシストシリンダを備え、テーブルにパワーアシストシリンダを操作する操作子を備えていることを特徴とする。
【００１１】
請求項３に係る考案では、クランプ機構は、テーブルに縦向きに貫通するロッドと、このロッドの上端から水平に延ばされ帯鋸を通過させる溝を有し切断対象物の上面を抑えるバー部材と、ロッドの近傍にてテーブルに取付けられロッドより帯鋸寄りの部位でピストンロッドがバー部材に連結されバー部材を昇降するシリンダユニットとからなることを特徴とする。
【考案の効果】
【００１２】
請求項１に係る考案では、帯鋸は、切断対象物の下角部から切り込みを開始する。切り屑の大部分は落下する。切り屑の一部は反作用で上方へ跳ぶが、切断対象物から離れる方向へ斜め上へ跳ぶため、切り屑が切断対象物上に堆積する心配はない。堆積したとしてもその量は僅かであり、清掃の手間は掛からない。
【００１３】
切断対象物の下角部から切り込みを開始すると、切断対象物に上向き分力が作用し、浮き上がる心配がある。本考案では、クランプ機構で切断対象物を抑えるため、切断対象物が浮き上がる心配はなく、安定的に切断作業を継続することができる。
【００１４】
ただし、クランプ機構をテーブルに付設すると、テーブル重量が嵩む。テーブルを作業者が押し引きする場合、作業者の負担が増す。
そこで、請求項２に係る考案では、パワーアシストシリンダを備え、このパワーアシストシリンダでテーブルを押し引きさせることで、作業者の負担を軽減するようにした。
【００１５】
請求項３に係る考案では、ロッドの近傍にシリンダユニットを配置する。さらに、ロッドより帯鋸寄りの部位でシリンダユニットのピストンロッドがバー部材に連結される。
バー部材はロッドを支点とする片持ち梁と見なせる。このようなバー部材をピストンロッドで引くことで、切断対象物にバー部材を押圧させることができる。
【図面の簡単な説明】
【００１６】
【図１】本考案に係る縦型帯鋸装置の斜視図である。
【図２】本考案に係る縦型帯鋸装置の正面図である。
【図３】図２の３矢視図である。
【図４】本考案に係る縦型帯鋸装置の側面図である。
【図５】図４の要部拡大図である。
【図６】帯鋸の作用説明図である。
【図７】準備作業を説明する図である。
【図８】切断作業を説明する図である。
【図９】従来の縦型帯鋸装置の斜視図である。
【図１０】従来の縦型帯鋸装置の要部拡大図である。
【図１１】図１０の対策案を示す図である。
【考案を実施するための形態】
【００１７】
本考案の実施の形態を添付図に基づいて以下に説明する。なお、図面は符号の向きに見るものとする。
【実施例】
【００１８】
本考案の実施例を図面に基づいて説明する。
図１に示すように、縦型帯鋸装置１０は、矢印（１）のように移動させることができるテーブル１１と、矢印（２）のように周回移動させることができる帯鋸１２とを主要素とする切断装置である。
【００１９】
テーブル１１には、作業者から見て左右に延びる縦壁状の第１ストッパ１３が設けられる。この第１ストッパ１３には、この第１ストッパ１３に直交する第２ストッパ１４が移動可能に取付けられる。
【００２０】
第１ストッパ１３より帯鋸１２から遠い部位にて、作業者が握る左ハンドル１５及び右ハンドル１６がテーブル１１に設けられる。左ハンドル１５と右ハンドル１６の一方は省くことができる。
さらに、テーブル１１に作業者が操作する操作箱１７が設けられる。
【００２１】
図２に示すように、鋼製の装置本体部２１に、テンションプーリ２２と、このテンションプーリ２２の真下に配置されるアイドルプーリ２３と、このアイドルプーリ２３の側方に配置される駆動プーリ２４が取付けられ、これらのプーリ２２、２３、２４に帯鋸１２が回巻きされる。
駆動プーリ２４がモータで駆動される。すると、帯鋸１２が周回し始め、帯鋸１２のフリクション（摩擦）でテンションプーリ２２及びアイドルプーリ２３が回転する。結果、帯鋸１２の周回運動が維持される。
【００２２】
帯鋸１２のテンション（張力）は、テンションプーリ２２を上下に移動することで調整する。
テーブル１１は４列のリニアガイド２５で、装置本体部２１に支持されている。
このテーブル１１の一端と装置本体部２１とにパワーアシストシリンダ２６が渡される。
【００２３】
図３に示すように、装置本体部２１にパワーアシストシリンダ２６が取付けられ、このパワーアシストシリンダ２６のピストンロッド２７の先端が、Ｌ金具２８を介してテーブル１１に繋がれている。パワーアシストシリンダ２６はエアシリンダが好適である。
パワーアシストシリンダ２６を伸動させるとテーブル１１が図面左へ付勢され、縮動させるとテーブル１１は図面右へ付勢される。
【００２４】
次に、帯鋸の姿勢を説明する。
図４に示すように、帯鋸１２を、鉛直軸２９に対して角度θをなすように傾斜させる。角度θは３°〜７°、好ましくは５°である。また、テーブル１１にクランプ機構３０が装備されている。このクランプ機構３０の詳細を次に説明する。
【００２５】
図５に示すように、クランプ機構３０は、テーブル１１に縦向きに貫通するロッド３１と、このロッド３１の上端から水平に延ばされ帯鋸１２を通過させる溝３２を有し切断対象物３３の上面を抑えるバー部材３４と、ロッド３１の近傍にてテーブル１１に取付けられロッド３１より帯鋸１２寄りの部位でピストンロッド３５がバー部材３４に連結されバー部材３４を昇降するシリンダユニット３６とからなる。
【００２６】
切断対象物３３は、厚さが３〜１００ｍｍの軽金属板、特にアルミニウム合金板である。
【００２７】
好ましくは、シリンダユニット３６は、ピストンロッド３５が上へ延びるように配置する。すると、シリンダユニット３６の大部分がテーブル１１の下になり、作業の邪魔にならない。
シリンダユニット３６を縮動させると、ピストンロッド３５が下がる。ロッド３１で案内され、バー部材３４が真っ直ぐに下がり、切断対象物３３の上面を抑える。
【００２８】
図示するように、ロッド３１の近傍にシリンダユニット３６が配置される。さらに、ロッド３１より帯鋸１２寄りの部位でピストンロッド３５がバー部材３４に連結される。バー部材３４はロッド３１を支点とする片持ち梁と見なせる。
結果、帯鋸１２側にピストンロッド３５を置く必要はなく、帯鋸１２から遠い所にシリンダユニット３６を配置することができる。
【００２９】
帯鋸の作用を次に説明する。
図６に示すように、本考案では、帯鋸１２は、切断対象物３３の下角部３７から切り込みを開始するように鉛直軸２９に対して傾斜配置されている。上から下へ走る帯鋸１２が下角部３７に切り込むと、切り屑の大部分が下方へ落下する。切り屑の一部は反作用で舞い上がる。舞い上がる切り屑は切断対象物３３の前面３８に当たる。あるいは、傾斜する帯鋸１２に沿って上昇する。結果、舞い上がった切り屑の大部分は、殆どが、切断対象物３３の上面に載ることなく、落下する。切断対象物３３の上面に載るとしても、その量は僅かであり、簡単に清掃することができる。切り屑が切断面を荒らす心配もなく、切断品の品質が高まる。
【００３０】
ただし、下角部３７には、斜め上向きの力Ｆが加わる。この力Ｆの水平分力ｆｈは、テーブル１１上に設ける第１ストッパ１３で支承させることができる。一方、力Ｆの垂直分力ｆｖは、切断対象物３３を浮き上がらせる作用を発揮する。この垂直分力ｆｖに対応するために、図５で述べたクランプ機構３０をテーブル１１に付設した。
【００３１】
クランプ機構３０のクランプ力は、垂直分力ｆｖを十分に超える値にする必要がある。すると、図５に示すシリンダユニット３６は大径になり、ロッド３１も大径になり、バー部材３４も大型になる。これらの重量が全てテーブル１１に不可される。結果、テーブル１１が重くなり、人手による水平移動が難しくなる。
【００３２】
図３で説明したパワーアシストシリンダ２６でテーブル１１を付勢すれば、テーブル１１の移動が容易になる。
【００３３】
以上に述べた縦型帯鋸装置の作用を次に説明する。
図７に示すように、第２ストッパ１４を所望の位置に固定する。具体的には、切断品の寸法がＷであれば、帯鋸１２からＷの位置に第２ストッパ１４を合わせ、この第２ストッパ１４を第１ストッパ１３にロックする。
次に、テーブル１１に切断対象物３３を載せる。この切断対象物３３は第１ストッパ１３に当てると共に第２ストッパ１４に当てる。
次に、バー部材３４を下げて、切断対象物３３を押さえる。
【００３４】
次に、図８に示すように、作業者３９は、左手で左ハンドル１５を握り、右手で第１操作子４１を押す。そして、左手で左ハンドル１５を押し出す。第１操作子４１が押されている間は、パワーアシストシリンダ２６でテーブル１１が前進側に付勢される。作業者３９は、パワーアシストシリンダ２６で不足する力のみを、左ハンドル１５に加えればよい。
【００３５】
図面表から裏へ走行する帯鋸１２で、図８に示すように、切断対象物３３を切断することができる。帯鋸１２は、バー部材３４に設けた溝３２を通過する。切断が完了したら、右手で第２操作子４２を押す。すると、パワーアシストシリンダ２６はテーブル１１を元の位置へ戻そうとする。作業者３９は、パワーアシストシリンダ２６で不足する力のみを、左ハンドル１５に加えて、テーブル１１を原位置に戻す。これで、図７の形態になる。
【００３６】
操作子４１、４２は押しボタンスイッチが好適である。押しボタンスイッチであれば押したときに有効で、離すとパワーアシストシリンダ２６はその状態で停止する。作業者３９の意思に反して、パワーアシストシリンダ２６が作動する心配が無くなる。
【００３７】
操作子４１、４２は押しボタンスイッチの他、切替えスイッチでもよい。
また、この種の装置では、両手を作業に供することができるように、操作箱１７や操作子４１、４２を床に配置することが多い。しかし、本考案のようにテーブル１１が大きく水平に移動し、作業者３９がテーブル１１に連れ歩く場合は、テーブル１１に操作箱１７を設けることが望まれる。
【００３８】
尚、本考案の帯鋸装置は、軽合金板の切断に適用できる。
【産業上の利用可能性】
【００３９】
本考案の帯鋸装置は、１００ｍｍ厚さに達するアルミニウム合金板の切断に好適である。
【符号の説明】
【００４０】
１０…縦型帯鋸装置、１１…テーブル、１２…帯鋸、１５、１６…ハンドル、２１…装置本体部、２６…パワーアシストシリンダ、２９…鉛直軸、３０…クランプ機構、３１…ロッド、３２…溝、３３…切断対象物、３４…バー部材、３６…シリンダユニット、３７…切断対象物の下角部、４１、４２…操作子、θ…傾斜角度。
【図１】
0003169557.tif 000003
【図２】
0003169557.tif 000004
【図３】
0003169557.tif 000005
【図４】
0003169557.tif 000006
【図５】
0003169557.tif 000007
【図６】
0003169557.tif 000008
【図７】
0003169557.tif 000009
【図８】
0003169557.tif 000010
【図９】
0003169557.tif 000011
【図１０】
0003169557.tif 000012
【図１１】
0003169557.tif 000013